(57)【要約】【課題】液晶表示において，クロストークを低減しようとすると消費電力が増大してしまうという課題があった。【解決手段】ゲートラインとソースラインとの交差部に配置された液晶素子を有する液晶表示パネル５７０と，ゲートライン駆動用電圧を利用してゲートラインを駆動するゲートドライバ５５０と，ソースライン駆動用電圧を利用してソースラインを駆動するソースドライバ５６０と，５フィールドインターレース駆動方式を利用してソースライン駆動用電圧の制御を行うコントローラ回路５３０とを備え，同一フレーム内における少なくとも一組の隣接するフィールドに関しては，極性反転に利用される極性が同じであり，同一フレーム内における少なくとも一組の隣接するフィールドに関しては，極性が異なる液晶表示装置である。【選択図】  図８
2004205671.tif 000002
【特許請求の範囲】
【請求項１】
複数行のゲートラインと複数列のソースラインとの交差部に対応して配置された複数の液晶素子を有する液晶表示パネルと，
前記複数行のゲートラインを駆動するためのゲートライン駆動用電圧を利用して前記複数行のゲートラインを駆動するゲートドライバと，
前記複数列のソースラインを駆動するためのソースライン駆動用電圧を利用して前記複数列のソースラインを駆動するソースドライバと，
Ｎフィールドインターレース駆動方式（Ｎ≧３）を利用して前記ソースライン駆動用電圧の制御を行うコントローラとを備え，
同一フレーム内における少なくとも一組の隣接するフィールドに関しては，極性反転に利用される極性が同じであり，
前記同一フレーム内における少なくとも一組の隣接するフィールドに関しては，前記極性が異なる液晶表示装置。
【請求項２】
隣接するフレームに関しては，前記極性反転のパターンが逆である請求項１記載の液晶表示装置。
【請求項３】
前記フィールドとは，第ｉ＋Ｎｍゲートライン（ｍ＝０，１，…）に対応する第ｉフィールド（ｉ＝１，２，…，Ｎ）であって，
前記隣接するフィールドとは，第ｊフィールドおよび第ｊ＋１フィールド（ｊ＝１，２，…，Ｎ−１）である請求項１記載の液晶表示装置。
【請求項４】
前記同一フレーム内における第２ｋ−１フィールドおよび第２ｋフィールド（ｋ＝１，２，…）に関しては，前記極性が同じであり，
前記同一フレーム内における第２ｋフィールドおよび第２ｋ＋１フィールド（ｋ＝１，２，…）に関しては，前記極性が異なる請求項３記載の液晶表示装置。
【請求項５】
前記Ｎは，奇数である請求項４記載の液晶表示装置。
【請求項６】
前記同一フレーム内における前記極性反転のパターンは，互いに幅が等しい山部と谷部とが繰り返された矩形波形のパターンではない請求項１記載の液晶表示装置。
【請求項７】
複数行のゲートラインと複数列のソースラインとの交差部に対応して配置された複数の液晶素子を有する液晶表示パネルと，前記複数行のゲートラインを駆動するためのゲートライン駆動用電圧を利用して前記複数行のゲートラインを駆動するゲートドライバと，前記複数列のソースラインを駆動するためのソースライン駆動用電圧を利用して前記複数列のソースラインを駆動するソースドライバとを備えた液晶表示装置を利用する液晶表示方法であって、
同一フレーム内における少なくとも一組の隣接するフィールドに関しては極性反転に利用される極性が同じであり，前記同一フレーム内における少なくとも一組の隣接するフィールドに関しては前記極性が異なるように、Ｎフィールドインターレース駆動方式（Ｎ≧３）を利用して前記ソースライン駆動用電圧の制御を行う制御ステップを備えた液晶表示方法。
【請求項８】
請求項７記載の液晶表示方法の、同一フレーム内における少なくとも一組の隣接するフィールドに関しては極性反転に利用される極性が同じであり，前記同一フレーム内における少なくとも一組の隣接するフィールドに関しては前記極性が異なるように、Ｎフィールドインターレース駆動方式（Ｎ≧３）を利用して前記ソースライン駆動用電圧の制御を行う制御ステップをコンピュータに実行させるためのプログラム。
【請求項９】
請求項８記載のプログラムを担持した記録媒体であって、コンピュータにより処理可能な記録媒体。
【発明の詳細な説明】
【０００１】
【発明の属する技術分野】
本発明は，液晶表示装置，液晶表示方法，プログラム，および記録媒体に関する。
【０００２】
【従来の技術】
薄型，軽量，低電力であるという特長から，パソコンや携帯情報端末を始めとした各種ディスプレイに，液晶表示装置（たとえば，特許文献１参照）が広く用いられている。
【０００３】
一般に，液晶材料に対して直流電圧を印加し続けると，液晶材料が劣化し，画質が低下してしまう。
【０００４】
そこで，ソースライン駆動用電圧を利用して画素に印加される電位（すなわち，ソースラインを通って送られてくる映像信号の電位）と対向電極電位である対向電位との電位差の極性を，交流化を利用して反転する必要がある。
【０００５】
一般的な交流化方式としては，液晶表示パネル内に設けられている複数のゲートラインの第１ラインから順次走査を行っていく方式がある。
【０００６】
ここで，従来の液晶表示装置におけるフレーム反転駆動方式による交流化の説明図である図６（Ａ），および従来の液晶表示装置における１ライン反転駆動方式による交流化の説明図である図６（Ｂ）を参照しながら，従来の液晶表示装置における線順次走査についてより具体的に説明する。
【０００７】
フレーム反転駆動方式においては，ソースラインを通って送られる各画素データに対応した映像信号の極性が，１フレームごとに反転させられる（図６（Ａ）参照）。
【０００８】
１ライン反転駆動方式においては，ソースラインを通って送られる各画素データに対応した映像信号の極性が，１フレームごとに反転させられるとともに，１ゲートラインごとにも反転させられる（図６（Ｂ）参照）。
【０００９】
フレーム反転駆動方式においては，１フレーム当りの交流化回数が最も少ない（すなわち，１フレーム当りの交流化回数は１回である）ため，映像信号間の干渉が大きくなり，画質低下の原因となるクロストークが発生するという問題が発生する。
【００１０】
クロストークが発生するという問題を解決するには，１フレーム当りの交流化回数を多くすれば良い。
【００１１】
すなわち，１ライン反転駆動方式を用いれば，クロストークはかなり抑制される。
【００１２】
しかし，１ライン反転駆動方式を用いて１フレーム当りの交流化回数を多くすると，電圧生成用のオペアンプの駆動回数が多くなってしまい，これは消費電力が増加するという問題に直結する。
【００１３】
つまり，クロストークと消費電力とは，従来の液晶表示装置における交流化回数の変化に伴うクロストークと消費電力との関係の説明図である図７に示されているように，交流化回数に関してトレードオフの関係を有している。
【００１４】
現在，クロストークが発生するという問題と消費電力が増加するという問題の両方に対処するための交流化方式としては，フィールドインターレース駆動方式が存在している。
【００１５】
フィールドインターレース駆動方式においては，従来のフィールドインターレース駆動方式の説明図である図３に示されているように，液晶表示パネル内の全ゲートライン（すなわち，１フレーム分のゲートライン）がフィールドと呼ばれる単位に分割され，フィールドごとに順次走査が行われていく。
【００１６】
ここに，１フレームをＮ個のフィールドに分割するときには，第ｉゲートラインからゲートライン下端に向かってＮ−１本飛ばしでゲートラインをとって第ｉフィールドを構成する（ｉ＝１，２，…，Ｎ）。
【００１７】
より具体的に述べると，従来のＮフィールドインターレース駆動方式におけるＮ＝３の場合（従来の３フィールドインターレース駆動方式の場合）には，第１フィールドは第１，第４，第７，…のゲートラインで構成され，第２フィールドは第２，第５，第８，…のゲートラインで構成され，第３フィールドは第３，第６，第９，…のゲートラインで構成される。
【００１８】
また ，従来のＮフィールドインターレース駆動方式におけるＮ＝５の場合（従来の５フィールドインターレース駆動方式の場合）には，第１フィールドは第１，第６，第１１，…のゲートラインで構成され，第２フィールドは第２，第７，第１２，…のゲートラインで構成され，第３フィールドは第３，第８，第１３，…のゲートラインで構成され，第４フィールドは第４，第９，第１４，…のゲートラインで構成され，第５フィールドは第５，第１０，第１５，…のゲートラインで構成される。
【００１９】
ここで，従来の５フィールド・フィールドインターレース駆動方式の説明図である図４，および従来の５フィールド・フィールドインターレース駆動方式のタイミングチャートである図５を参照しながら，従来の液晶表示装置におけるフィールドインターレース駆動方式についてより具体的に説明する。
【００２０】
第ｉフィールドの走査が終了すると第ｉ＋１フィールドの走査へ移るというようにしてフィールド順に走査が行われていくが（ｉ＝１，２，…，Ｎ），同一フィールド内ではゲートライン下端に向かって走査が行われていく。
【００２１】
一つのフィールドの走査が終了してつぎのフィールドの走査へ移るときには，映像信号の極性が反転される（つまり，一組の隣接するフィールドに関しては，極性反転がすべて相異なっている）。
【００２２】
そして，一つのフレームの走査が終了して（すなわち，全フィールドの走査が終了して）つぎのフレームの走査が始まるときには，前述した線順次走査の交流化方式の場合と同様に，映像信号の極性が反転される。
【００２３】
このようなフィールドインターレース方式においては，フレーム反転方式に比べてクロストークがより抑制され，１ライン反転方式に比べて消費電力がより抑制される。
【００２４】
【特許文献１】
特開昭６３−３１１３９号公報
【００２５】
【発明が解決しようとする課題】
しかしながら，クロストークと消費電力とがトレードオフの関係を有するという上述の現象に類似した現象は，フィールドインターレース方式においても発生する。
【００２６】
より具体的に述べると，従来のフィールドインターレース方式においては，フィールド数がより少ないほど映像信号の干渉によりクロストークが増大し，フィールド数がより多いほど電圧生成用のオペアンプの駆動回数の増加により消費電力が増加してしまう。
【００２７】
近年は，フィールド数を増やしてクロストークを減少させ，液晶表示画質を向上させようとする動向が顕著である。そのため，上述の理由により，どうしても消費電力が増加してしまう傾向があるものである。
【００２８】
つまり，液晶表示において，クロストークを低減しようとすると消費電力が増大してしまうという課題があった。
【００２９】
本発明は，上記従来のこのような課題を考慮し，液晶表示において，消費電力の増大を抑制しつつクロストークをより低減することができる液晶表示装置，液晶表示方法，プログラム，および記録媒体を提供することを目的とするものである。
【００３０】
【課題を解決するための手段】
第１の本発明は、複数行のゲートラインと複数列のソースラインとの交差部に対応して配置された複数の液晶素子を有する液晶表示パネル（５７０）と，
前記複数行のゲートラインを駆動するためのゲートライン駆動用電圧を利用して前記複数行のゲートラインを駆動するゲートドライバ（５５０）と，
前記複数列のソースラインを駆動するためのソースライン駆動用電圧を利用して前記複数列のソースラインを駆動するソースドライバ（５６０）と，
Ｎフィールドインターレース駆動方式（Ｎ≧３）を利用して前記ソースライン駆動用電圧の制御を行うコントローラ（５３０）とを備え，
同一フレーム内における少なくとも一組の隣接するフィールドに関しては，極性反転に利用される極性が同じであり，
前記同一フレーム内における少なくとも一組の隣接するフィールドに関しては，前記極性が異なる液晶表示装置である。
【００３１】
第２の本発明は、隣接するフレームに関しては，前記極性反転のパターンが逆である第１の本発明の液晶表示装置である。
【００３２】
第３の本発明は、前記フィールドとは，第ｉ＋Ｎｍゲートライン（ｍ＝０，１，…）に対応する第ｉフィールド（ｉ＝１，２，…，Ｎ）であって，
前記隣接するフィールドとは，第ｊフィールドおよび第ｊ＋１フィールド（ｊ＝１，２，…，Ｎ−１）である第１の本発明の液晶表示装置である。
【００３３】
第４の本発明は、前記同一フレーム内における第２ｋ−１フィールドおよび第２ｋフィールド（ｋ＝１，２，…）に関しては，前記極性が同じであり，
前記同一フレーム内における第２ｋフィールドおよび第２ｋ＋１フィールド（ｋ＝１，２，…）に関しては，前記極性が異なる第３の本発明の液晶表示装置である。
【００３４】
第５の本発明は、前記Ｎは，奇数である第４の本発明の液晶表示装置である。
【００３５】
第６の本発明は、前記同一フレーム内における前記極性反転のパターンは，互いに幅が等しい山部と谷部とが繰り返された矩形波形のパターンではない第１の本発明の液晶表示装置である。
【００３６】
第７の本発明は、複数行のゲートラインと複数列のソースラインとの交差部に対応して配置された複数の液晶素子を有する液晶表示パネル（５７０）と，前記複数行のゲートラインを駆動するためのゲートライン駆動用電圧を利用して前記複数行のゲートラインを駆動するゲートドライバ（５５０）と，前記複数列のソースラインを駆動するためのソースライン駆動用電圧を利用して前記複数列のソースラインを駆動するソースドライバ（５６０）とを備えた液晶表示装置を利用する液晶表示方法であって、
同一フレーム内における少なくとも一組の隣接するフィールドに関しては極性反転に利用される極性が同じであり，前記同一フレーム内における少なくとも一組の隣接するフィールドに関しては前記極性が異なるように、Ｎフィールドインターレース駆動方式（Ｎ≧３）を利用して前記ソースライン駆動用電圧の制御を行う制御ステップを備えた液晶表示方法である。
【００３７】
第８の本発明は、第７の本発明の液晶表示方法の、同一フレーム内における少なくとも一組の隣接するフィールドに関しては極性反転に利用される極性が同じであり，前記同一フレーム内における少なくとも一組の隣接するフィールドに関しては前記極性が異なるように、Ｎフィールドインターレース駆動方式（Ｎ≧３）を利用して前記ソースライン駆動用電圧の制御を行う制御ステップをコンピュータに実行させるためのプログラムである。
【００３８】
第９の本発明は、第８の本発明のプログラムを担持した記録媒体であって、コンピュータにより処理可能な記録媒体である。
【００３９】
【発明の実施の形態】
以下に，本発明の実施の形態について，図面を参照しつつ説明を行う。
【００４０】
（実施の形態１）
はじめに，本発明の実施の形態１における液晶表示装置の構成図である図８を主として参照しながら，本実施の形態の液晶表示装置の構成について説明する。
【００４１】
本実施の形態の液晶表示装置は，複数行のゲートライン（図示省略）と複数列のソースライン（図示省略）との交差部に対応して配置された，画素（図示省略）およびスイッチング素子（図示省略）を有する複数の液晶素子（図示省略）を有する液晶表示パネル５７０と，ゲートライン駆動用電圧を利用してゲートラインを駆動するゲートドライバ５５０と，ソースライン駆動用電圧を利用してソースラインを駆動するソースドライバ５６０と，Ｎフィールドインターレース駆動方式（本実施の形態においてはＮ＝５であって，以下においては５フィールドインターレース駆動方式ということもある）を利用してソースライン駆動用電圧の制御を行うコントローラ回路５３０とを備えている。
【００４２】
液晶表示装置のいわゆる本体部分は，図面上において破線で囲まれている上述の各手段を含む部分である。
【００４３】
本実施の形態の液晶表示装置の特徴は，後に詳述されるように，（１）同一フレーム内における少なくとも一組の隣接するフィールド（たとえば，第１フィールドおよび第２フィールド）に関しては，極性反転に利用される極性が同じであり，（２）同一フレーム内における少なくとも一組の隣接するフィールド（たとえば，第２フィールドおよび第３フィールド）に関しては，極性が異なる点にある。
【００４４】
また，隣接するフレームに関しては，極性反転のパターンが逆である。
【００４５】
もちろん，第ｉフィールド（ｉ＝１，２，…，５）とは第ｉ＋５ｍゲートライン（ｍ＝０，１，…）に対応するフィールドであり，隣接するフィールドとは第ｊフィールドおよび第ｊ＋１フィールド（ｊ＝１，２，…，４）である。
【００４６】
つぎに，本実施の形態の液晶表示装置の構成についてより詳細に説明を行う。
【００４７】
入力電源５１０は，ＣＰＵ（中央演算処理装置）５２０，コントローラ回路５３０，液晶駆動電圧発生回路５４０を駆動させるための電源電圧を供給する手段である。
【００４８】
ＣＰＵ５２０は，コントローラ回路５３０に対して各信号処理の命令を送る手段である。
【００４９】
コントローラ回路５３０は，５フィールドインターレース駆動方式を利用して，２フィールドごとにソースライン（図示省略）を通って画素電極（図示省略）に印加される映像信号の極性を反転し，さらに１フレームごとに全映像信号の極性を反転する制御を行う手段である。
【００５０】
なお，このような映像信号の極性の制御に関しては，後に詳述する。
【００５１】
画像信号処理回路５３１は，液晶表示パネル５７０へ表示データを供給する手段である。
【００５２】
制御信号処理回路５３２は，液晶駆動電圧発生回路５４０に所定の周期の制御信号を供給する手段である。また，制御信号処理回路５３２は，液晶駆動電圧発生回路５４０，ゲートドライバ５５０，ソースドライバ５６０を制御する手段である。
【００５３】
液晶駆動電圧発生回路５４０は，スイッチング素子（図示省略）のオン・オフを行うための走査選択用電圧，映像信号電圧，対向電圧等の液晶表示パネル５７０を駆動するために必要な電圧を生成する手段である。
【００５４】
ゲートドライバ５５０は，コントローラ回路５３０より送られてくる同期信号に従って液晶駆動電圧発生回路５４０で生成した走査選択用電圧をゲートライン（図示省略）へ印加する手段である。
【００５５】
ソースドライバ５６０は，コントローラ回路５３０より送られてくる画素データに対応した映像信号をソースライン（図示省略）へ印加する手段である。
【００５６】
液晶表示パネル５７０は，マトリクス状に配置された水平方向の複数のゲートライン（図示省略）と垂直方向の複数のソースライン（図示省略）との交差する点に配置された画素（図示省略）およびスイッチング素子（図示省略）を有する複数の液晶素子（図示省略）ごとに液晶材料を間に挟み込むように形成された画素電極（図示省略）および対向電極（図示省略）を有し，画素データに対応した映像信号が各画素へ入力されることで液晶表示を行う手段である。
【００５７】
なお，液晶表示パネル５７０は本発明の液晶表示パネルに対応し，ゲートドライバ５５０は本発明のゲートドライバに対応し，ソースドライバ５６０は本発明のソースドライバに対応し，コントローラ回路５３０を含む手段は本発明のコントローラに対応する。
【００５８】
また，本実施の形態の液晶表示装置は，本発明の液晶表示装置に対応する。
【００５９】
ここで，本発明の実施の形態１におけるフィールドインターレース駆動方式の説明図である図１，および本発明の実施の形態１におけるフィールドインターレース駆動方式のタイミングチャートである図２を主として参照しながら，本実施の形態の映像信号の極性の制御について詳述する。
【００６０】
（Ａ）本実施の形態においては，同一フレーム内における第２ｋ−１フィールドおよび第２ｋフィールド（ｋ＝１，２）に関しては極性が同じであり，同一フレーム内における第２ｋフィールドおよび第２ｋ＋１フィールド（ｋ＝１，２）に関しては極性が異なる。
【００６１】
より具体的に述べると，図１，２に示されているように，第１フィールド，第２フィールドでは，２フィールド連続で映像信号の極性が同じとされ，第３フィールド，第４フィールドでは，先の２フィールドに対して映像信号の極性が反転される。そして，第５フィールドでは，先の２フィールドに対して映像信号の極性が反転される。
【００６２】
すなわち，Ｍフレーム内における極性反転のパターンは，互いに幅が２であって等しい山部と谷部とが１回繰り返され，その後に幅が１である山部が続く矩形波形のパターンである（Ｍ＋１フレーム内における極性反転のパターンは，互いに幅が２であって等しい谷部と山部とが１回繰り返され，その後に幅が１である谷部が続く矩形波形のパターンである）。
【００６３】
このように，本実施の形態においては，Ｎ＝５（奇数）を利用して上述のようなフィールド分割が行われるために，極性反転のパターンが非対称的になる。かくして，交流化のタイミングに歪みが生じ，映像信号にオフセットがかかる。このようなオフセットによって発生するバイアスは，画素間の映像信号の干渉をより小するように作用し，クロストークやフリッカがより抑制されるものである。
【００６４】
（Ｂ）また，隣接するフレームに関しては，極性反転のパターンが逆である。
【００６５】
すなわち，図１，２に示されているように，フレームごとの極性反転も行われる。
【００６６】
ここまでで，本実施の形態の液晶表示装置の構成について説明を行った。
【００６７】
つぎに，本実施の形態の液晶表示装置の動作について説明を行う。
【００６８】
なお，本実施の形態の液晶表示装置の動作について説明を行いながら，本発明の液晶表示方法の一実施の形態についても説明する。
【００６９】
入力電源５１０は，ＣＰＵ５２０，コントローラ回路５３０，液晶駆動電圧発生回路５４０を駆動させるための電源電圧を供給する。
【００７０】
ＣＰＵ５２０は，コントローラ回路５３０に対して各信号処理の命令を送る。
【００７１】
コントローラ回路５３０は，５フィールドインターレース駆動方式を利用して，２フィールドごとにソースライン（図示省略）を通って画素電極（図示省略）に印加される映像信号の極性を反転し，さらに１フレームごとに全映像信号の極性を反転する制御を行う。
【００７２】
画像信号処理回路５３１は，液晶表示パネル５７０へ表示データを供給する。制御信号処理回路５３２は，液晶駆動電圧発生回路５４０に所定の周期の制御信号を供給するとともに，液晶駆動電圧発生回路５４０，ゲートドライバ５５０，ソースドライバ５６０を制御する。
【００７３】
液晶駆動電圧発生回路５４０は，スイッチング素子（図示省略）のオン・オフを行うための走査選択用電圧，映像信号電圧，対向電圧等の液晶表示パネル５７０を駆動するために必要な電圧を生成する。
【００７４】
ゲートドライバ５５０は，コントローラ回路５３０より送られてくる同期信号に従って液晶駆動電圧発生回路５４０で生成した走査選択用電圧をゲートライン（図示省略）へ印加する。
【００７５】
ソースドライバ５６０は，コントローラ回路５３０より送られてくる画素データに対応した映像信号をソースライン（図示省略）へ印加する。
【００７６】
液晶表示パネル５７０は，画素データに対応した映像信号が各画素へ入力されることで液晶表示を行う。
【００７７】
ここまでで，本実施の形態の液晶表示装置の動作について説明を行った。
【００７８】
つぎに，本実施の形態の液晶表示装置の奏する効果について説明を行う。
【００７９】
本実施の形態においては，５フィールドインターレース駆動方式が利用されているため，各フィールドにおけるゲートラインは４本飛ばしで配置されている。
【００８０】
このため，映像信号間の干渉は，たとえば，各フィールドにおけるゲートラインが２本飛ばしで配置される前述した従来の３フィールドインターレース駆動方式の場合よりもかなり小さく，前述した従来の５フィールドインターレース駆動方式の場合と同じ程度に抑えられている。
【００８１】
一方，本実施の形態においては，５フィールドインターレース駆動方式が利用されているが，１フレーム当りの交流化回数は３回しかない（前述した従来の５フィールドインターレース駆動方式が利用される場合には，１フレーム当りの交流化回数は５回もある）。
【００８２】
このため，電圧生成用のオペアンプ（液晶駆動電圧発生回路５４０）の駆動回数は，たとえば前述した従来の５フィールドインターレース駆動方式の場合よりもかなり小さく，前述した従来の３フィールドインターレース駆動方式の場合と同じ程度に低くなっている。
【００８３】
かくして，本実施の形態の液晶表示装置は，オペアンプの駆動による消費電力の増大を抑制しつつ，画質低下の原因となる映像信号間の干渉によるクロストークをより低減することができる。
【００８４】
以上においては，本実施の形態１について詳細に説明を行った。
【００８５】
なお，本発明の隣接するフレームに関しては，上述した本実施の形態においては，極性反転のパターンがすべて逆であった。しかし，これに限らず，本発明の隣接するフレームに関しては，極性反転のパターンがすべて逆でなくてもよい。ただし，液晶材料は直流電圧が印加し続けられると劣化してしまうため，液晶材料に印加される電位とその対向電位との電位差の極性は，所定値以上の頻度で反転されることが望ましいことは，もちろんである。
【００８６】
また，本発明の同一フレーム内における極性反転のパターンは，上述した本実施の形態においては，互いに幅が等しい山部と谷部とが繰り返された矩形波形のパターンではなかった。しかし，これに限らず，本発明の同一フレーム内における極性反転のパターンは，互いに幅が等しい山部と谷部とが繰り返された矩形波形のパターンであってもよい。ただし，非対称的な極性反転のパターンによって発生するバイアスは，画素間の映像信号の干渉をより小さくするように作用するため，極性反転のパターンが非対称的なパターンであることが望ましいことは，もちろんである。
【００８７】
要するに，（１）同一フレーム内における少なくとも一組の隣接するフィールドに関しては，極性反転に利用される極性が同じであり（すなわち，同一フレーム内において，フィールドの極性がすべて同じであることはなく），（２）同一フレーム内における少なくとも一組の隣接するフィールドに関しては，極性が異なる（すなわち，同一フレーム内において，フィールドの極性が一つおきに同じであることはない）ようになっていればよい。
【００８８】
なお、本発明のプログラムは、上述した本発明の液晶表示方法の全部または一部のステップ（または、工程、動作、作用等）の動作をコンピュータにより実行させるためのプログラムであって、コンピュータと協働して動作するプログラムである。
【００８９】
また、本発明の記録媒体は、上述した本発明の液晶表示方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【００９０】
なお、本発明の上記「一部のステップ（または、工程、動作、作用等）」とは、それらの複数のステップの内の、一つまたは幾つかのステップを意味する。
【００９１】
また、本発明の上記「ステップ（または、工程、動作、作用等）の動作」とは、前記ステップの全部または一部の動作を意味する。
【００９２】
また、本発明のプログラムの一利用形態は、コンピュータにより読み取り可能な記録媒体に記録され、コンピュータと協働して動作する態様であっても良い。
【００９３】
また、本発明のプログラムの一利用形態は、伝送媒体中を伝送し、コンピュータにより読みとられ、コンピュータと協働して動作する態様であっても良い。
【００９４】
また、記録媒体としては、ＲＯＭ等が含まれ、伝送媒体としては、インターネット等の伝送媒体、光・電波・音波等が含まれる。
【００９５】
また、上述した本発明のコンピュータは、ＣＰＵ等の純然たるハードウェアに限らず、ファームウェアや、ＯＳ、更に周辺機器を含むものであっても良い。
【００９６】
なお、以上説明した様に、本発明の構成は、ソフトウェア的に実現しても良いし、ハードウェア的に実現しても良い。
【００９７】
【発明の効果】
本発明は，液晶表示において，消費電力の増大を抑制しつつクロストークをより低減することができるという長所を有する。
【図面の簡単な説明】
【図１】本発明の実施の形態１におけるフィールドインターレース駆動方式の説明図
【図２】本発明の実施の形態１におけるフィールドインターレース駆動方式のタイミングチャート
【図３】従来のフィールドインターレース駆動方式の説明図
【図４】従来の５フィールド・フィールドインターレース駆動方式の説明図
【図５】従来の５フィールド・フィールドインターレース駆動方式のタイミングチャート
【図６】（Ａ）従来の液晶表示装置におけるフレーム反転駆動方式による交流化の説明図
（Ｂ）従来の液晶表示装置における１ライン反転駆動方式による交流化の説明図
【図７】従来の液晶表示装置における交流化回数の変化に伴うクロストークと消費電力との関係の説明図
【図８】本発明の実施の形態１における液晶表示装置の構成図
【符号の説明】
５１０  入力電源
５２０  中央演算処理装置（ＣＰＵ）
５３０  コントローラ回路
５３１  画像信号処理回路
５３２  制御信号処理回路
５４０  液晶駆動電圧発生回路
５５０  ゲートドライバ
５６０  ソースドライバ
５７０  液晶表示パネル
【図１】
2004205671.tif 000003
【図２】
2004205671.tif 000004
【図３】
2004205671.tif 000005
【図４】
2004205671.tif 000006
【図５】
2004205671.tif 000007
【図６】
2004205671.tif 000008
【図７】
2004205671.tif 000009
【図８】
2004205671.tif 000010